(57)【要約】【課題】ベッドの昇降に追随でき、使用者が力を加えたときでもガタが生じないベッド用手摺枠を提供すること。【解決手段】ベッド用手摺枠は、手摺としての枠体２０の一部をなすと共に、ベッド１の水平面に対して垂直方向に立設させた枠支柱２１ａと、ベッド１のサイドに配設されたベッド柵１０と機械的に一体に連結され、枠支柱２１ａに嵌合し、枠支柱２１ａに対して上下動及び回動自在とし、枠支柱２１ａ方向に伸びた移動子４０とを備える。この移動子４０は、外郭を形成する外筒４１と枠支柱２１ａとの間に、その長さ方向に対して直角断面で２分割して一対とし、回動及び上下動を防止して配設した軸受け４２ａ，４２ｂとを具備するものであるから、ベッド用手摺枠はベッドの昇降に追随でき、しかも、使用者が力を加えたときでもガタが生じない。【選択図】図１
2008073412.tif 000002
【特許請求の範囲】
【請求項１】
手摺としての枠体の一部をなすと共に、ベッドの水平面に対して垂直方向に立設させた枠支柱と、
前記ベッドのサイドに配設されたベッド柵と、
前記ベッド柵と機械的に一体に連結され、前記枠支柱に嵌合し、前記枠支柱に対して上下動自在とし、前記枠支柱方向に伸びた移動子と
を具備することを特徴とするベッド用手摺枠。
【請求項２】
前記移動子は、外郭を形成する外筒と前記枠支柱との間に配設され、断面弧状に複数分割して一対とし、回動及び上下動を防止した軸受けを具備することを特徴とする請求項１に記載のベッド用手摺枠。
【請求項３】
前記移動子の軸受けは、その長さ方向に２分割した断面の境界線が、互いに９０度のずれが生ずるように上下に２対以上配設したことを特徴とする請求項２に記載のベッド用手摺枠。
【請求項４】
前記手摺としての枠体には、前記枠体平面に対して９０度回動自在な補助枠を配設したことを特徴とする請求項１乃至請求項３の何れか１つに記載のベッド用手摺枠。
【発明の詳細な説明】
【技術分野】
【０００１】
本発明は、使用者がベッドから車椅子やポータブルトイレに自力で移動する際、または立上って杖を使用して歩行に入る際の補助として使用されるベッド用手摺枠に関するものである。
【背景技術】
【０００２】
一般に、ベッド用手摺枠の公知の技術として特許文献１及び特許文献２を挙げることができる。
例えば、特許文献１は、ベッドに固定される枠体は、基端部にベッドに取付けられる縦方向の取付杆を有すると共に、先端部に床に接する長さの支持杆を有し、前記取付杆と支持杆とが横方向の握り部で連結され、前記枠体の先端部には前記握り部と角度をなして前方握り部材が突設されたベッド用手摺枠を開示している。
特許文献１のベッド用手摺枠は、枠体の先端部に前方握り部材を突設しているので、使用者の正面側に握り部が得られ、使用者は前かがみの姿勢で前方握り部を握ることにより、上半身の体重を利用してベッドから腰を浮かせ、車椅子等に移ることができる。このため、使用者の側方のみに握り部が存在し、腕力に頼って腰を浮かせなければならなかった従来の支持枠と比較して、極めて小さな力でベッドから腰を浮かせ、車椅子等に乗ることができる。
【０００３】
特許文献２のベッド用手摺枠は、床部昇降機能を備えたベッドに追従する介助手段であって、床部側面近傍の床面に立脚するように一対の支柱を配置すると共に、これら一対の支柱の基端側を、台車フレームに固定枠体を介して固定するようにし、前記一対の支柱のうちの一方に、移動自在に嵌入した移動子に一端側を取り付けると共に、他端側をサイドフレームに設けられる柵受け穴に、着脱可能な取付アダプタを介し、ベッド長手方向に移動調節可能に装着したものである。
この特許文献２のベッド用手摺枠では、単純な構造で、床部の昇降動作によって、介助部材を上下方向及びベッド長手方向へのずれに追従させることができ、現在の複雑化したベッドにも十分対応可能であるということができる。
【特許文献１】実開平７−２８５３２号公報
【特許文献２】特開平１０−１６５４５７号公報
【発明の開示】
【発明が解決しようとする課題】
【０００４】
上記特許文献１では、ベッド用手摺枠の支柱がベッドに固定されるため、床板が昇降するベッドに取り付けると支持枠も一緒に昇降してしまう構造になっていたから、支柱の脚部と床との間にできた隙間に足を挟まれる恐れがあり、また、支柱を支えている脚部が床と離れ安定性が悪い等の危険性があった。
また、上記特許文献２では、ベッド用手摺枠の支持枠がベッドの昇降と一体となって移動するものであるが、支柱を移動子が支柱の上部に摺動するときのギャップ、取り付けアダプタの取り付け精度が、大きなガタとなって現れ、使用者に不安を抱かせる可能性があった。
【０００５】
そこで、この発明はかかる不具合を解決するためになされたもので、ベッドの昇降に追随でき、使用者が力を加えたときでもガタが生じないベッド用手摺枠の提供を課題とするものである。
【課題を解決するための手段】
【０００６】
請求項１にかかるベッド用手摺枠は、手摺としての枠体の一部をなすと共に、ベッドの水平面に対して垂直方向に立設させた枠支柱と、前記ベッドのサイドに配設されたベッド柵と機械的に一体に連結され、前記枠支柱に嵌合し、前記枠支柱に対して上下動自在とし、前記枠支柱方向に伸びた移動子とを具備するものである。
ここで、上記枠支柱は、枠体の一部をなすもので、ベッドの水平面に対して垂直方向に立設させた枠を構成する柱であればよく、通常、枠体の端部にあるものが好適である。また、上記枠支柱としては、円筒状のもの、角筒状のものが使用できる。そして、上記移動子としても、円筒状のもの、角筒状のものが使用でき、必ずしも、前記移動子と前記枠支柱が同一円筒状のもの、角筒状のものとする必要がない。その間の間隙は、軸受けで吸収できればよい。
【０００７】
請求項２にかかるベッド用手摺枠の前記移動子は、外郭を形成する外筒と前記枠支柱との間に配設され、断面弧状に複数分割して一対とし、回動及び上下動を防止して配設したものである。
ここで、上記移動子としては、円筒状のもの、角筒状のものが使用でき、必ずしも、前記移動子と前記枠支柱が同一円筒状のもの、角筒状のものとする必要がない。その間の間隙は、軸受けで吸収できればよい。軸受けとしては、通常所定の弾性および摺動抵抗の小さいフッ素樹脂、テフロン（登録商標）樹脂等の合成樹脂が使用される。
【０００８】
請求項３にかかるベッド用手摺枠の前記移動子の軸受けは、２分割した断面の境界線が互いに９０度のずれが生ずるように、上下に２対以上配設したものである。
ここで、２分割した断面の境界線が互いに９０度のずれが生ずるように、上下に２対以上配設とは互いのがたつく方向を規制することにより、がたつきを最小にするものであるから、２箇所または４箇所に配設すると効果的である。
【０００９】
請求項４にかかるベッド用手摺枠の手摺としての枠体には、前記枠体平面方向を含み、そこから９０度回動自在な補助枠を配設したものである。
上記補助枠は、手摺としての枠体に対して直角に回動し、そこで停止することにより、手摺としての枠体の長さ方向及びその直角方向の支えが構成される。
【発明の効果】
【００１０】
請求項１のベッド用手摺枠は、手摺としての枠体の一部をなすと共に、ベッドの水平面に対して垂直方向に立設させた枠支柱と、前記ベッドのサイドに配設されたベッド柵と機械的に一体に連結され、前記枠支柱に嵌合し、前記枠支柱に対して上下動自在とし、前記枠支柱方向に伸びた移動子を具備するものである。
したがって、ベッドのサイドに配設されたベッド柵と手摺としての枠体との間の結合により、自重で枠体が固定され、ベッドの昇降と一体となってベッド柵が昇降し、それに応じて移動子が手摺としての枠体の一部をなす枠支柱を上下動するから、ベッドの昇降に伴って枠体が浮き上がるような問題は生じない。また、ベッド柵の取付けを使用するものであるから、各種ベッドに取付けが容易である。そして、ベッドから降りる際に、枠体とベッドとを相対変位させることにより、使用者は体重の移動を行うだけで、ベッドから降りることができる。
【００１１】
請求項２のベッド用手摺枠は、手摺としての枠体の一部をなす枠支柱に対して上下動及び回動自在として、前記枠支柱方向に伸びた移動子が配設され、前記移動子は外郭を形成する外筒と前記枠支柱との間の軸受けを、その長さ方向に複数分割（２分割以上の分割を）して一対とし、回動及び上下動を防止して配設したものであるから、請求項１の効果に加えて、２分割以上の分割をした断面の境界線またはその境界線と直角な位置で、ガタツキの少ない構成とすることにより、前記ベッドのサイドに配設されたベッド柵と手摺としての枠体との間の結合にガタツキのない対応となるから、使用者が不意にふらついて急激に手摺としての枠体に体重が加わってもガタツキが少ないから安心感が得られる。また、前記ベッドのサイドに配設されたベッド柵と手摺としての枠体との角度が自在に設定できるから、使用者の移動目的に応じた設定が可能である。
【００１２】
請求項３にかかるベッド用手摺枠の前記移動子の軸受けは、２分割した断面の境界線が互いに９０度のずれが生ずるように上下に２対以上配設したものであるから、請求項２に記載の効果に加えて、互いに拘束する直線方向が、直角に交わるから、ガタツキを最小限度に押さえることができる。
【００１３】
請求項４にかかるベッド用手摺枠の手摺としての枠体には、前記枠体平面に対して９０度回動自在な補助枠を配設したものであるから、請求項１乃至請求項３の何れか１つに記載の効果に加えて、使用者が身体の向きを９０度変更するのに好適であり、例えば、ポータブルトイレの使用、車椅子の乗り降りに好適となる。
【発明を実施するための最良の形態】
【００１４】
以下、本発明の実施の形態について、図面に基づいて説明する。
なお、実施の形態２以降において、実施の形態１の部分と同一記号及び同一符号は、実施の形態１と同一または相当する機能を意味する部品であるから、ここでは重複する説明を省略する。
[実施の形態１]
【００１５】
図１は本発明の実施の形態１におけるベッド用手摺枠の全体の斜視図、図２は本発明の実施の形態１におけるベッド用手摺枠の要部拡大斜視図である。図３は本発明の実施の形態１におけるベッド用手摺枠の平面図、図４は本発明の実施の形態１におけるベッド用手摺枠の正面図、図５は本発明の実施の形態１におけるベッド用手摺枠の側面図である。また、図６は本発明の実施の形態１におけるベッド用手摺枠の移動子の説明図、図７は本発明の実施の形態１におけるベッド用手摺枠の移動子の断面図、図８は本発明の実施の形態１におけるベッド用手摺枠の他の事例の移動子の断面図である。
【００１６】
図１及び図５において、ベッド１にはそのサイドから複数個所（通常２箇所）のアーム２が引出し可能に配設されている。
ベッド柵１０は、ベッド１のサイドに配設され人体の落下を防止するベッド柵枠１１及びそのベッド柵枠１１の基部となるベッド柵ベース１２からなり、ベッド柵ベース１２には複数個所（通常２箇所）の取り付け部１３が固着されていて、固定ネジ１４で取り付け部１３をアーム２に取付け自在になっている。即ち、両者は、ベッド柵１０の取り付け部１３をアーム２に宛がってアーム２の下側から固定ネジ１４を締め込み堅固に固着する。
【００１７】
ベッド柵１０は、その基本的形態が公知のものと相違するものではないが、ベッド柵ベース１２は、本実施の形態のベッド用手摺枠を取付けるための機械的強度を有するものである。枠体２０は、概略４角形枠の４辺を構成する管材で構成されている。外枠２１は各枠支柱２１ａ，２１ｂ，２１ｃ，２１ｄからなり、その外枠２１の機械的強度を増加させ、かつ、他の機能を持たせるために複数の補助支柱２２（２２ａ，２２ｂ）が設けられている。即ち、枠体２０は、枠支柱２１ａ，２１ｂ，２１ｃ，２１ｄからなる外枠２１、複数の補助支柱２２から構成されている。更に、補助支柱２２ａには、補助枠３０が配設されている。枠支柱２１ｄには、少なくとも下面または先端部に滑り止め機能を付加した脚部２７，２８が配設されている。
【００１８】
補助枠３０は、略Ｕ字状でその開放端が補助支柱２２ａに嵌合された外管３１に接続されている。外管３１は９０度回動自在で、固定ネジ３２によってその位置を堅固に保持するように固定される。したがって、外管３１は外枠２１の面に対して９０度の角度または外枠２１の面に対して並行する角度となる。この補助枠３０は、使用者Ｍの立ち上がる体勢、使用者Ｍが車椅子を使用するか否か、ポータブルトイレを使用するか否かによって所望の角度に固定される。また、必要に応じて回動することができる。
なお、外管３１は後述する移動子４０の構成に置換することもできる。
【００１９】
移動子４０は、枠体２０を構成する外枠２１のベッド側にある枠支柱２１ａに配設される。移動子４０の外筒４１は、ベッド柵ベース１２に溶接され、堅固に一体化されている。移動子４０の外筒４１の内部には、２分割されたフッ素樹脂、テフロン（登録商標）樹脂等の摩擦抵抗の小さい合成樹脂で成形された軸受け４２ａ，４２ｂが配設されている。２分割した空間が枠支柱２１ａの中心を通る境界線Ｘ−Ｘは、２分割した断面の境界となる。この境界の幅は、外筒４１の嵌合孔２１a1，２１a2に移動止め４３ａ，４３ｂが挿着容易なように、軸受け４２ａ，４２ｂの移動止め４３ａ，４３ｂの突出高さ等によって決定される。移動止め４３ａ，４３ｂは移動子４０の外筒４１に穿設した嵌合孔２１a1，２１a2に挿入され、軸受け４２ａ，４２ｂの回動及び上下動を拘束している。
【００２０】
移動子４０の外筒４１の内部に入れる軸受け４２ａ，４２ｂは、図７に示すように、軸受け４２ａ，４２ｂの境界線Ｘ−Ｘ側である開放側両端で枠支柱２１ａの外周に弾接または接触する径に設定するか、或いは図８に示すように、軸受け４２ａ，４２ｂの境界線Ｘ−Ｘに直角方向側である中心側で枠支柱２１ａの外周に弾接または接触する径に設定するか、或いは図示しない、内面に複数の長さ方向に沿った蒲鉾状の凸条を形成し、その凸条の先端が枠支柱２１ａの外周に弾接または接触する径に設定される。
【００２１】
したがって、図７の場合には、軸受け４２ａ，４２ｂの境界線Ｘ−Ｘ側である開放側両端で枠支柱２１ａの外周に弾接または接触する径に設定しているので、境界線Ｘ−Ｘ側方向には全くガタツキが生じない。また、図８に示すように、軸受け４２ａ，４２ｂの境界線Ｘ−Ｘに直角方向側である中心側で枠支柱２１ａの外周に弾接または接触する径に設定した場合には、境界線Ｘ−Ｘ方向に対する直角方向には全くガタツキが生じない。
勿論、図示しない、内面に複数の凸状を形成し、その凸状の先端が枠支柱２１ａの外周に弾接する径に設定されるものでは、境界線Ｘ−Ｘ側及びその直角方向側にもガタが生じない。
なお、移動子４０の外筒４１の内部に挿入する軸受け４２ａ，４２ｂは、枠支柱２１ａの外周に弾接する径に設定しても、材料が柔軟であるから、外力によって滑らかな動きとなる。勿論、枠体２０は移動子４０が上下動しても、その立設状態を維持する。
【００２２】
移動子４０の外筒４１には、固定ネジ４４が配設されていて、固定ネジ４４を締め付けることにより、固定ネジ４４の先端が枠支柱２１ａの外周の図示しない溝に嵌合し、移動子４０の回動が禁止される。通常の使用状態では、回動を拘束するので、固定ネジ４４の先端が枠支柱２１ａの外周の図示しない溝に嵌合した状態となり、上下動のみを許容する。格納等の際には、固定ネジ４４を緩めることにより、ベッドのサイドに並行する位置となる。即ち、枠体２０は略１８０度の回動が可能である。
[実施の形態２]
【００２３】
図９は本発明の実施の形態２におけるベッド用手摺枠の他の事例の移動子の説明図である。
上記実施の形態においては、移動子４０の内部に軸受け４２ａ，４２ｂを配設した事例で説明したが、本発明を実施する場合には、図７または図８に示す同一の移動子４０の構造を、移動子４０の外筒４１の内部の上下に軸受け４２ａ，４２ｂの対を２個配設するのが望ましい。特に、この場合には、同一移動子４０を用いて境界線Ｘ−Ｘを互いに９０度回動した角度の境界線Ｘ’−Ｘ’とし、両者間で図７の場合には、一方によって、境界線Ｘ−Ｘ側方向には全くガタツキが生じなくし、他方によって、その境界線Ｘ−Ｘ側の直角方向の境界線Ｘ’−Ｘ’方向のガタツキが生じなくすることにより、全体のガタツキをなくすことができる。
【００２４】
このように構成された本実施の形態のベッド用手摺枠は、図１０及び図１１に示すように使用することができる。
図１０は本発明の実施の形態１及び実施の形態２におけるベッド用手摺枠の立ち上がる直前の使用状態を示す説明図、図１１は本発明の実施の形態１及び実施の形態２におけるベッド用手摺枠の立ち上がり途中の使用状態を示す説明図である。
まず、ベッド１のサイドに配設されたベッド柵１０と手摺としての枠体２０との間の結合により、自重で枠体２０が固定され、ベッド１の昇降と一体となってベッド柵１０が昇降し、それに応じて移動子４０が手摺としての枠体２０の一部をなす枠支柱２１ａを上下動するから、ベッド１の昇降に伴って枠体２０が浮き上がり、そこに足を挟まれるような問題は生じなくなる。
【００２５】
また、ベッド柵１０の取付けを使用するものであるから、各種市販のベッド１に取付けが容易である。
そして、使用者Ｍが立ち上がるときには、必要に応じてベッド柵１０を使用しながら、ベッド１のサイドに移動し、腰掛け、補助枠３０を握り、同時に腕筋を使用しながら上体を立てる。そして、立ち上がりができた時点で、使用者Ｍは必要に応じて外枠２１の枠支柱２１ａを握りながら、身体の向きを変更する。
更に、使用者Ｍがベッド１から降りる際、ベッド１のサイドに移動し、そこで腰掛け、前かがみになって補助枠３０を握り、同時に腕筋を使用しながら枠体２０に対してベッド１０を上昇させることにより、使用者Ｍは体重の移動を行うだけで、ベッド１から降りることができる。
【００２６】
この間、外枠２１にはベッド１の長さ方向に対して直角方向の外力が加わるが、図７の移動子４０の場合には、軸受け４２ａ，４２ｂの境界線Ｘ−Ｘ側を外枠２１の面に平行な位置に設定しておけば、境界線Ｘ−Ｘ側方向には全くガタツキが生じない。また、図８の移動子４０の場合には、軸受け４２ａ，４２ｂの境界線Ｘ−Ｘに直角な方向側を外枠２１の面に平行な位置に設定しておけば、外枠２１には全くガタツキが生じない。
したがって、使用者Ｍは補助枠３０に力を掛けてもガタツキが生じないから、安心して外枠２１に身を委ねることができる。
【００２７】
このように、本実施の形態のベッド用手摺枠は、手摺としての枠体２０の一部をなすと共に、ベッド１の水平面に対して垂直方向に立設させた枠支柱２１ａと、ベッド１のサイドに配設されたベッド柵１０と機械的に一体に連結されたベッド柵ベース１２を介して、枠支柱２１ａに嵌合し、枠支柱２１ａに対して上下動及び回動自在とし、枠支柱２１ａ方向に伸びた移動子４０とを具備し、移動子４０は、外郭を形成する外筒４１と枠支柱２１ａとの間に、その長さ方向に２分割して一対とし、回動及び上下動を防止して配設した軸受け４２ａ，４２ｂを有するものである。
【００２８】
したがって、使用者Ｍがベッド１のサイドに腰掛け、枠体２０の外枠２１、補助枠３０を握り、腕筋を使用しながら上体を立てるとき、或いは立ち上がりができたとき、使用者Ｍは必要に応じて枠体２０の外枠２１を握りながら、ステッキを持って歩いたり、身体の向きを変更することができる。このさい、少なくとも、特定方向のガタツキが殆どなくなるものであるから、力を掛けたときにガタツキに驚いて、不意に他の予期せぬ行動をとるという不安感を解消できる。
【００２９】
上記実施の形態において、移動子４０の軸受け４２ａ，４２ｂは、２分割した断面の境界線Ｘ−Ｘが互いに９０度のずれが生ずるように上下に２対以上配設することによって、如何なる方向のガタツキもなくすことができる。なお、図９は２個配設した事例を説明したが３個以上であってもよい。好ましくは、上下に２個または４個配設するのが望ましい。勿論、軸受け４２ａ，４２ｂが、その長さ方向に弧状に３分割して一対とした場合には、上下に複数段設定する必要性は薄い。
【００３０】
上記実施の形態において、手摺としての枠体２０には、枠体２０平面に対して９０度回動自在な補助枠３０を配設したものであるから、使用者Ｍの方向転換が自在となり、使用者Ｍがポータブルトイレ或いは車椅子等を使用する場合に好適となる。
【００３１】
上記実施の形態において、手摺としての枠体２０は、ベッド１に対して１８０度変化できることを前提に説明したが、９０度の回動変化のみとし、また、ベッド１に対して９０度の位置で上下動のみ行う機能とすることもできる。
なお、ベッド１に対して９０度の位置で上下動のみ行う機能としたものでは、移動子４０を枠支柱２１ａに並行する補助支柱２２ａにも配設でき、より堅牢なベッド用手摺枠とすることができる。
【図面の簡単な説明】
【００３２】
【図１】図１は本発明の実施の形態１におけるベッド用手摺枠の全体の斜視図、図２は本発明の実施の形態１におけるベッド用手摺枠の要部拡大斜視図である。
【図２】図２は本発明の実施の形態１におけるベッド用手摺枠の要部拡大斜視図である。
【図３】図３は本発明の実施の形態１におけるベッド用手摺枠の平面図である。
【図４】図４は本発明の実施の形態１におけるベッド用手摺枠の正面図である。
【図５】図５は本発明の実施の形態１におけるベッド用手摺枠の側面図である。
【図６】図６は本発明の実施の形態１におけるベッド用手摺枠の移動子の説明図である。
【図７】図７は本発明の実施の形態１におけるベッド用手摺枠の移動子の断面図である。
【図８】図８は本発明の実施の形態１におけるベッド用手摺枠の他の事例の移動子の断面図である。
【図９】図９は本発明の実施の形態２におけるベッド用手摺枠の他の事例の移動子の説明図である。
【図１０】図１０は本発明の実施の形態１及び実施の形態２におけるベッド用手摺枠の立ち上がる直前の使用状態を示す説明図である。
【図１１】図１１は本発明の実施の形態１及び実施の形態２におけるベッド用手摺枠の立ち上がり途中の使用状態を示す説明図である。
【符号の説明】
【００３３】
１      ベッド
１０    ベッド柵
１２    ベッド柵ベース
２０    枠体
２１ａ，２１ｂ，２１ｃ，２１ｄ    枠支柱
２１    外枠
２２ａ，２２ｂ    補助支柱
３０    補助枠
４０    移動子
４１    外筒
４２ａ，４２ｂ    軸受け
Ｘ−Ｘ  境界線
４３ａ，４３ｂ    移動止め
【図１】
2008073412.tif 000003
【図２】
2008073412.tif 000004
【図３】
2008073412.tif 000005
【図４】
2008073412.tif 000006
【図５】
2008073412.tif 000007
【図６】
2008073412.tif 000008
【図７】
2008073412.tif 000009
【図８】
2008073412.tif 000010
【図９】
2008073412.tif 000011
【図１０】
2008073412.tif 000012
【図１１】
2008073412.tif 000013